(57)【要約】【課題】  窓枠に至る部分まで浴室ユニットの壁パネルが連続している構造にできる。壁パネルの端部と化粧カバーとの間から浸入した水を浴室ユニットの床パンに排水できる。【解決手段】  窓枠１の下枠材２と浴室ユニット３の床パン４間に水受け台５を配置する。水受け台５の外周端部のうち床パン４との接続部分を除く部分に上方に向けて水返し用縦片６を突設する。化粧カバー受け材７を窓枠１の縦枠８に沿うように立設する。水返し用縦片６のうち上記下枠材２に接続する水返し用縦片６を除く部分の内側に沿って壁パネル１２を立設すると共に、壁パネル１２の端部を化粧カバー受け材７の壁パネル受け部１０内に位置させる。化粧カバー取付け部１１に化粧カバー１４の背面側に設けた被取付け部１５を取付けると共に、化粧カバー１４の表面側の端部に設けた弾性を有する覆い片１６を壁パネル１２の表面端部に弾性的に押接する。【選択図】        図１
2010031532.tif 000002
【特許請求の範囲】
【請求項１】
窓枠の下枠材と浴室ユニットの床パン間に水受け台を配置すると共に、水受け台と下枠材及び床パンとの接続部分をシール手段でシールし、水受け台の外周端部のうち床パンとの接続部分を除く部分に上方に向けて水返し用縦片を突設し、上記窓枠の下枠材と接続する水返し用縦片と、これに隣接する他の水返し用縦片とのなす内隅部に型材よりなる化粧カバー受け材を窓枠の縦枠に沿うように立設し、上記化粧カバー受け材に水返し部を備えた壁パネル受け部と、壁パネル受け部に隣接した化粧カバー取付け部とを備え、水返し用縦片のうち上記下枠材に接続する水返し用縦片を除く部分の内側に沿って壁パネルを立設すると共に、壁パネルの端部を化粧カバー受け材の壁パネル受け部内に位置させ、化粧カバー取付け部に化粧カバーの背面側に設けた被取付け部を取付けると共に、化粧カバーの表面側の端部に設けた弾性を有する覆い片を壁パネルの表面端部に弾性的に押接して成ることを特徴とする浴室ユニットと窓との接続部における止水構造。
【請求項２】
浴室ユニットの床パンの外周部に上方に向けて突出した立上片の上端部から外側方に壁パネルを載置するための横片を突出すると共に、横片の先端から上方に水返し用起立片を突設し、水返し用起立片の窓枠に対向する部分を切除して切除部を形成し、窓枠の下枠材の浴室ユニット側の端部に下方に垂下した垂下片と垂下片の下端部から浴室ユニット側に突出した下横片とを設け、上記下横片に水受け台の窓枠側の端部を載設し、該水受け台の床パン側の端部を、切除部を形成した部分における横片に当接又は載設して両者をシール手段によりシールすると共に、水返し用起立片の切除部の両側に位置する部位と水返し用縦片の端部との接続部をシール手段でシールし、窓枠の室内側の下枠材の上記垂下片と対向する水返し用縦片を垂下片に重ねて両者をシール手段によりシールして成ることを特徴とする請求項１記載の浴室ユニットと窓との接続部における止水構造。
【発明の詳細な説明】
【技術分野】
【０００１】
本発明は、浴室ユニットと窓との接続部における止水構造に関するものである。
【背景技術】
【０００２】
従来から、浴室ユニットと窓との接続に当たっては、特許文献１に示されるように、浴室ユニットの壁パネルと、窓枠とを角筒状をした接続枠で接続するようにしていた。
【０００３】
上記特許文献１に示される従来例にあっては、窓枠に接続枠を接続するに当たっては、窓枠の浴室ユニット側の端部に断面コ字状をした固定部材を取付け、この断面コ字状をした固定部材に接続枠の一端部を嵌め込んで取付けると共に、接続枠の固定部材への嵌め込み部分にシール材でシールし、更に、接続枠の他端部のフランジ部を浴室ユニットの壁パネルの内面に重複して取付けるようになっている。
【０００４】
ところが、上記の従来例にあっては、浴室ユニットと窓枠との間を、浴室ユニットの構成部材である壁パネルとは別の接続部材で接続するので、接続部材部分と浴室ユニットとの一体感に乏しいという問題があり、しかも、接続枠の固定部材への嵌め込み部分はシール材でシールしてあって、止水がなされているが、この接続枠の固定部材への嵌め込み部分におけるシール材によるシールが破れた場合、接続枠の固定部材への嵌め込み部分に水が浸入すると、浴室ユニットを設置している建物内に水が浸入するという問題がある。
【特許文献１】実開平０６−０１６６８２号公報
【発明の開示】
【発明が解決しようとする課題】
【０００５】
本発明は上記の従来の問題点に鑑みて発明したものであって、窓枠に至る部分まで浴室ユニットの壁パネルが連続している構造にできて、浴室ユニットの空間的な広がりを実現でき、壁パネルの端部と化粧カバーとの間から水が浸入しても、浴室ユニットの床パンにスムーズに排水できて、浴室ユニットを設置している建物内に水が浸入するのが防止できる浴室ユニットと窓との接続部における止水構造を提供することを課題とするものである。
【課題を解決するための手段】
【０００６】
上記課題を解決するために本発明に係る浴室ユニットと窓との接続部における止水構造は、窓枠１の下枠材２と浴室ユニット３の床パン４間に水受け台５を配置すると共に、水受け台５と下枠材２及び床パン４との接続部分をシール手段２５でシールし、水受け台５の外周端部のうち床パン４との接続部分を除く部分に上方に向けて水返し用縦片６を突設し、上記窓枠１の下枠材２と接続する水返し用縦片６と、これに隣接する他の水返し用縦片６とのなす内隅部に型材よりなる化粧カバー受け材７を窓枠１の縦枠８に沿うように立設し、上記化粧カバー受け材７に水返し部９を備えた壁パネル受け部１０と、壁パネル受け部１０に隣接した化粧カバー取付け部１１とを備え、水返し用縦片６のうち上記下枠材２に接続する水返し用縦片６を除く部分の内側に沿って壁パネル１２を立設すると共に、壁パネル１２の端部を化粧カバー受け材７の壁パネル受け部１０内に位置させ、化粧カバー取付け部１１に化粧カバー１４の背面側に設けた被取付け部１５を取付けると共に、化粧カバー１４の表面側の端部に設けた弾性を有する覆い片１６を壁パネル１２の表面端部に弾性的に押接して成ることを特徴とするものである。
【０００７】
このような構成とすることで、浴室ユニット３と窓枠１との間の部分に壁パネル１２が配置されることで、浴室ユニット３の壁パネル１２が窓枠１に至る部分まで連続した構造となる。また、壁パネル１２の表面側の端部を化粧カバー１４の覆い片１６で覆うことで、壁パネル１２の端部を綺麗に仕舞うことができる。しかも、化粧カバー１４の覆い片１６によって壁パネル１２の表面側の端部を覆っている部分のシールが破れて、この部分から水が浸入しても、浸入した水は化粧カバー受け材７の水返し部９によりそれ以上の浸入を防止されてそのまま壁パネル受け部１０に沿って下方に流れて水受け台５に至るが、該水受け台５の外周端部のうち床パン４との接続部分を除く部分に上方に向けて水返し用縦片６を突設し、水受け台５と下枠材２及び床パン４との接続部分をシール手段２５でシールしてあるので、水受け台５に流れた水は水返し用縦片６により外側に流出するのが阻止されて床パン４側にスムーズに排水することができる。また、水受け台５と壁パネル１２の下端との間から水が浸入しても水返し用縦片６により外側に流出するのが阻止され、水漏れが防止できる。
【０００８】
また、壁パネル１２を載置するための横片１８を突出すると共に、横片１８の先端から上方に水返し用起立片１９を突設し、水返し用起立片１９の窓枠１に対向する部分を切除して切除部２０を形成し、窓枠１の下枠材２の浴室ユニット３側の端部に下方に垂下した垂下片２１と垂下片２１の下端部から浴室ユニット３側に突出した下横片２２とを設け、上記下横片２２に水受け台５の窓枠１側の端部を載設し、該水受け台５の床パン４側の端部を、切除部２０を形成した部分における横片１８に当接又は載設して両者をシール手段２５によりシールすると共に、水返し用起立片１９の切除部２０の両側に位置する部位と水返し用縦片６の端部との接続部をシール手段２５でシールし、窓枠１の室内側の下枠材２の上記垂下片２１と対向する水返し用縦片６を垂下片２１に重ねて両者をシール手段２５によりシールすることが好ましい。
【０００９】
このような構成とすることで、水返し用起立片１９と水返し用縦片６が連続した水返しとなり、壁パネル１２の下端部を床パン４の下横片２２、水受け台５に載置したものにおいて、壁パネル１２の下端面に沿って水が浸入しても上記連続した構造の水返しにより床パン４部分、水受け台５部分を越えて外に水漏れしない。
【発明の効果】
【００１０】
本発明は、上記のように構成したので、窓枠に至る部分まで浴室ユニットの壁パネルが連続している構造にできて、浴室ユニットの空間的な広がりを実現できる。しかも、壁パネルの端部と化粧カバーとの間から水が浸入しても、水受け台で受けて浴室ユニットの床パンにスムーズに排水できて、浴室ユニットを設置している建物内に水が浸入するのが防止できる。
【発明を実施するための最良の形態】
【００１１】
以下、本発明を添付図面に示す実施形態に基いて説明する。
【００１２】
床パン４の外周部には図２に示すように、上方に向けて立上片１７を突設してあり、この立上片１７の上端部から外側方に壁パネル１２を載置するための横片１８を突出してあり、更に、横片１８の先端から上方に水返し用起立片１９が突設してある。
【００１３】
上記床パン４の外周部の水返し用起立片１９は、建物躯体に設けた窓枠１に対向する部位が窓枠１の下枠材２の長さと略同じ長さ切除してあって、この水返し用起立片１９の一部を切除した部分が切除部２０となっている。
【００１４】
窓枠１の下枠材２の浴室ユニット３側の端部には下方に垂下した垂下片２１と垂下片２１の下端部から浴室ユニット３側に突出した下横片２２とを設けてある。
【００１５】
上記床パン４の切除部２０と窓枠１の下枠材２との間には水受け台５が配設される。水受け台５は図２に示すように、平板状をした水受け台５の外周端部のうち床パン４との接続部分（上記切除部２０に対応する部分）を除く部分に上方に向けて水返し用縦片６を突設してある。
【００１６】
水受け台５の窓枠１側の端部を、図３に示すように、上記窓枠１の下枠材２に設けた下横片２２に載設してシリコーンなどで接着又は両面粘着テープで接着し、水受け台５の床パン４側の端部を切除部２０を形成した部分における横片１８に当接又は載設して両者をブチルテープのようなシール手段２５によりシールする。ここで、上記のように水受け台５の床パン４側の端部を横片１８に当接又は載設することで、水受け台５と横片１８とが略面一となる。
【００１７】
また、水返し用縦片６のうち窓枠１の室内側の下枠材２の上記垂下片２１と対向する水返し用縦片６を垂下片２１に重ねて両者をシリコーンのようなシール手段２５によりシールする。更に、上記垂下片２１と重ねた水返し用縦片６に隣接した水返し用縦片６の端部と水返し用起立片１９の切除部２０の両側に位置する部位との接続部分をシール手段２５によりシールする。
【００１８】
次に、水返し用縦片６のうち上記のように窓枠１の下枠材２と接続しない水返し用縦片６に沿って、水受け台５の上面端部には後述のように壁パネル１２が載設されるので、この部分に図４に示すように、のようにソフトパッキン２７を敷設してパネル載置面２８を形成し、更に、窓枠１の下枠材２と接続する水返し用縦片６と、これに隣接する他の水返し用縦片６とのなす内隅部に型材よりなる化粧カバー受け材７を窓枠１の縦枠８に沿うように立設する。
【００１９】
化粧カバー受け材７は、壁パネル受け部１０と、化粧カバー取付け部１１と、固定部２６とを備えたもので、断面Ｌ字状をした壁パネル受け部１０に隣接して断面Ｕ字状の化粧カバー取付け部１１を一体に設け、更に、化粧カバー取付け部１１の隣に断面Ｕ字状をした固定部２６を一体に設けて構成してある。
【００２０】
断面Ｌ字状をした壁パネル受け部１０は、壁パネル１２の背面端部を受ける背面受け部１０ａと壁パネル１２の端面を受ける（又は壁パネル１２の端面が近接対向する）端面受け部１０ｂとがＬ字状に連設したもので、背面受け部１０ａの先端（端面受け部１０ｂから離れる方の端部）には水返し部９が設けてある。
【００２１】
化粧カバー取付け部１１は溝巾の狭い断面Ｕ字状をしており、溝内面に鋸歯状凹凸を形成してある。
【００２２】
断面Ｕ字状の固定部２６は溝巾が広く、溝奥片を木ねじ、釘等の固着具２９により窓枠１の縦枠８に固着する。この場合、固着具２９により縦枠８とその下地である窓下地枠３０に固着する。
【００２３】
床パン４の横片１８（切除部２０と対応した部位を除く）上に壁パネル１２を立設して浴室ユニットの壁を組み立て構成するのであるが、この際、壁パネル受け部１０にも、図５に示すように、水返し用縦片６のうち上記下枠材２に接続する水返し用縦片６を除く部分の内側に沿って壁パネル１２を立設し、該壁パネル１２を上記床パン４の横片１８に立設した壁パネル１２と連結して連続させる。また、上記のように水返し用縦片６の内側に沿って立設した壁パネル１２の窓枠１側の端部を、化粧カバー受け材７の壁パネル受け部１０内に位置させる。
【００２４】
上記水返し用縦片６の内側に沿って立設した壁パネル１２の下部と水受け台５とのなすコーナ部分に図５に示すようにＬ状をした連結金具３１を配置して、該連結金具３１を壁パネル１２及び水受け台５にそれぞれ固着具により固着することで、連結金具３１により壁パネル１２の下部と水受け台５とを連結する。
【００２５】
次に、図６に示すように、水受け台５の上に窓カウンター３２を載設し、水受け台５と壁パネル１２との間、水受け台５と下枠材２の垂下片２１との間をシリコーンのようなシール手段２５によりシールする。
【００２６】
次に、図１のように化粧カバー受け材７の化粧カバー取付け部１１に化粧カバー１４の背面側に突出して設けた被取付け部１５を取付ける。
【００２７】
化粧カバー１４は、断面略Ｔ字状をしており、背面の略中央部から突出した被取付け部１５は側面に鋸歯状凹凸部を備えており、また、化粧カバー１４の表面側の端部には弾性を有する覆い片１６を有している。
【００２８】
そして、化粧カバー１４の被取付け部１５を化粧カバー取付け部１１に嵌め込んで、鋸歯状凹凸部同士を噛み合わせることで取付けるものであり、このようにして被取付け部１５を化粧カバー取付け部１１に取付けた状態で、化粧カバー１４で壁パネル１２の表面端部と化粧カバー受け材７の固定部２６とを覆い、更に、弾性を有する覆い片１６が壁パネル１２の表面端部に弾性的に押接する。
【００２９】
床パン４の外周端部に立設した壁パネル１２とこれに連結した水受け台５の水返し用縦片６の内側に沿って立設した壁パネル１２により浴室ユニット３の壁を構成するのであるが、この壁の上端には該壁で覆われた部分を覆うように天井パネル（図示せず）を配置して、該天井パネルは上記壁パネル１２の上端に連結される。
【００３０】
図中３３は窓枠１に内装する窓戸、又は障子である。
【００３１】
上記のように浴室ユニット３と窓とを接続した本発明は、単なる窓枠１と浴室ユニット３とを接続体で接続したものと異なり、浴室ユニット３と窓枠１との間の部分に壁パネル１２が配置されるため、浴室ユニット３の壁パネル１２が窓枠１に至る部分まで連続した構造となり、浴室ユニット３が床パン４に対応する部分だけでなく、水受け台５部分を含めて壁パネル１２が連続する広い浴室空間を現出することができる。
【００３２】
ところで、本発明においては、壁パネル１２の窓枠１側の端部において、壁パネル１２の表面側の端部を化粧カバー１４の覆い片１６で覆うものであるから、壁パネル１２を水受け台５部分にも立設して窓枠１側まで至らせるものであるにもかかわらず、化粧カバー１４により壁パネル１２の端部を綺麗に仕舞うことができる。
【００３３】
また、化粧カバー１４の覆い片１６を壁パネル１２の表面側の弾性的に押接しているので、この部分からの水の浸入を防止することができる。しかも、万一、覆い片１６が壁パネル１２の表面側の弾性的に押接している部分のシールが破れて、この部分から水が浸入したとしても、浸入した水は化粧カバー受け材７の水返し部９によりそれ以上の浸入を防止されてそのまま壁パネル受け部１０に沿って下方に流れて水受け台５に至る。水受け台５の外周端部のうち床パン４との接続部分を除く部分に上方に向けて水返し用縦片６を突設し、水受け台５と下枠材２及び床パン４との接続部分をシール手段２５でシールしてあるので、水受け台５に流れた水は水返し用縦片６により外側に流出するのが阻止されて、水受け台５と窓カウンター３２との間から床パン４側にスムーズに排水される。
【００３４】
また、水受け台５と壁パネル１２の下端との間から水が浸入しても水返し用縦片６により外側に流出するのが阻止されて、水受け台５と窓カウンター３２との間から床パン４側に排水される。
【図面の簡単な説明】
【００３５】
【図１】本発明の平面断面図である。
【図２】同上の施工順序を示す説明図である。
【図３】同上の施工順序を示す説明図である。
【図４】同上の施工順序を示す説明図である。
【図５】同上の施工順序を示す説明図である。
【図６】同上の施工順序を示す説明図である。
【符号の説明】
【００３６】
１  窓枠
２  下枠材
３  浴室ユニット
４  床パン
５  水受け台
６  水返し用縦片
７  化粧カバー受け材
８  縦枠
９  水返し部
１０  壁パネル受け部
１１  化粧カバー取付け部
１２  壁パネル
１４  化粧カバー
１５  被取付け部
１６  覆い片
１７  立上片
１８  横片
１９  水返し用起立片
２０  切除部
２１  垂下片
２２  下横片
２３  切除部
【図１】
2010031532.tif 000003
【図２】
2010031532.tif 000004
【図３】
2010031532.tif 000005
【図４】
2010031532.tif 000006
【図５】
2010031532.tif 000007
【図６】
2010031532.tif 000008